(57)【要約】【課題】切換装置を安全かつしっかりと維持する方向弁座弁を提供する。【解決手段】方向弁座弁は、ハウジング２と、第１方向弁座弁ユニット３と、第２方向弁座弁ユニット４とを有する。各々は、２つの切換位置間を移動可能な閉鎖部材５，８と、各場合に少なくとも１つの座６，７とを有する。第１閉鎖部材５と第２閉鎖部材８との間に、第１及び第２閉鎖部材５，８との同期した移動のための伝達部材１１が配置される。本発明は、方向弁座弁１が、第１閉鎖要素５に割当てられた第１係止装置１２と、第２閉鎖要素８に割当てられた第２係止装置１３とを有し、これにより、閉鎖要素５，８を切換位置で固定することが可能となる。係止装置１２，１３は、各閉鎖要素５，８が各切換位置に係合すると、それが各切換位置の方向に軸方向に移動するように構成される。伝達部材１１は、第１閉鎖要素５と第２閉鎖要素８との間にクリアランスを有する。【選択図】図３
2020133900.tif 000002
【特許請求の範囲】
【請求項１】
ハウジング（２）と、ハウジング（２）内に配置された第１方向弁座弁ユニット（３）と、ハウジング（２）内に配置された第２方向弁座弁ユニット（４）とを備え、
前記第１方向弁座弁ユニット（３）は、少なくとも第１切換位置及び第２切換位置と、少なくとも１つの座（６，７）との間を移動可能な第１閉鎖部材（５）を有し、前記第２方向弁座弁ユニット（４）は、少なくとも第３切換位置及び第４切換位置と、少なくとも１つの座（９，１０）との間を移動可能な第２閉鎖部材（８）とを有し、
第１及び第２閉鎖部材（５，８）の同期した移動のための伝達部材（１１）は、第１閉鎖部材（５）と第２閉鎖部材（８）との間に配置され、
第２切換位置から第１切換位置内への前記第１閉鎖部材（５）の移動は、第２閉鎖部材（８）を、第３切換位置から第４切換位置内に移動させ、
第４切換位置から第３切換位置内への前記第２閉鎖部材（８）の移動は、第１閉鎖部材（５）を、第１切換位置から第２切換位置内に移動させ、
前記方向弁座弁（１）は、第１閉鎖部材（５）に割当てられた少なくとも１つの第１係止装置（１２）と、第２閉鎖部材（８）に割当てられた第２係止装置（１３）とを有し、
前記第１閉鎖部材（５）は、第１切換位置及び第２切換位置において、第１係止装置（１２）によって固定可能であり、
前記第２閉鎖部材（８）は、第３切換位置及び第４切換位置において、第２係止装置（１３）によって固定可能であり、
前記第１係止装置（１２）は、第１閉鎖部材（５）が、第１切換位置において係止したときに、第１切換位置の方向に軸方向に移動し、第２切換位置において係止したときに、第２切換位置の方向に軸方向に移動し、
前記第２係止装置（１３）は、第２閉鎖部材（８）が、第３切換位置において係止したときに、第３切換位置の方向に軸方向に移動し、第４切換位置において係止したときに、第４切換位置の方向に軸方向に移動するよう構成され、
前記伝達部材（１１）は、第１閉鎖部材（５）と第２閉鎖部材（８）との間に、クリアランス（Ｓａ，Ｓｒ）を有することを特徴とする、方向弁座弁（１）。
【請求項２】
前記第１閉鎖部材（５）は第１ピストンであり、及び/又は前記第２閉鎖部材（８）は第２ピストンであることを特徴とする、請求項１に記載の方向弁座弁（１）。
【請求項３】
前記第１係止装置（１２）は、少なくとも１つの第１係止要素（１４）と、第１閉鎖部材（５）上に配置された第１係止溝（１５）とを有し、前記第１係止溝（１５）は第１カム面（１６）を有し、前記第１係止要素（１４）は、第１閉鎖部材（５）が、第２切換位置から第１切換位置内へ移動する間に、第１カム面（１６）に沿って移動し、第１閉鎖部材（５）上の第１切換位置の方向に、軸方向の移動の力を加えることを特徴とする、請求項１又は２に記載の方向弁座弁（１）
【請求項４】
前記第１係止装置（１２）は、第１閉鎖部材（５）上に配置された少なくとも１つの第２係止要素（１７）と第２係止溝（１８）とを有し、前記第２係止溝（１８）は、第２カム面（１９）を有し、前記第２係止要素（１７）は、第１閉鎖部材（５）が、第１切換位置から第２切換位置内に移動する間に、第２カム面（１９）に沿って移動し、第１閉鎖部材（５）上の第２切換位置の方向に、軸方向の移動の力を加えることを特徴とする、請求項１〜３のいずれかに記載の方向弁座弁（１）。
【請求項５】
前記第２係止装置（１３）は、第２閉鎖部材（８）に配置された少なくとも１つの第３係止要素（２０）と、第３係止溝（２１）とを有し、前記第３係止溝（２１）は、第３カム面（２２）を有し、前記第３係止要素（２０）は、第２閉鎖部材（８）が、第３切換位置から第４切換位置内に移動する際に、第３カム面（２２）に沿って移動し、第２閉鎖部材（８）上の第４切換位置の方向に、軸方向の移動の力を加えることを特徴とする、請求項１〜４のいずれかに記載の方向弁座弁（１）。
【請求項６】
前記第２係止装置（１３）は、第２閉鎖部材（８）上に配置された少なくとも１つの第４係止要素（２３）と、第４係止溝（２４）とを有し、前記第４係止溝（２４）は、第４カム面（２５）を有し、前記第４係止要素（２３）は、第４閉鎖部材（８）が、第４切換位置から第３切換位置内に移動する間に、第４カム面（２５）に沿って移動し、第２閉鎖部材（８）上の第３切換位置の方向に、軸方向の移動の力を加えることを特徴とする、請求項１〜５のいずれかに記載の方向弁座弁（１）。
【請求項７】
前記第１閉鎖部材（５）及び前記第２閉鎖部材（８）は、ハウジング（２）のバルブボア（２６）内で軸方向に互いに隣接するように配置されていることを特徴とする、請求項１〜６のいずれかに記載の方向弁座弁（１）。
【請求項８】
前記伝達部材（１１）はタペットであり、前記タペットはバルブボア（２６）内に配置され、遊びは軸方向の遊び（Ｓａ）であり、径方向の遊び（Ｓｒ）が、タペット（１１）とハウジング（２）との間に設けられることを特徴とする、請求項７に記載の方向弁座弁（１）。
【請求項９】
前記タペット（１１）は軸方向の貫通孔（２７）を有することを特徴とする、請求項８に記載の方向弁座弁（１）。
【請求項１０】
前記方向弁座弁（１）は、第１閉鎖部材（５）及び第２閉鎖部材（８）の位置を決定するための誘導位置センサ（２８）を有することを特徴とする、請求項１〜９のいずれかに記載の方向弁座弁（１）。
【請求項１１】
前記誘導式位置センサ（２８）はコアを有し、前記コアは第１閉鎖部材（５）及び第２閉鎖部材（８）と同期して移動することを特徴とする、請求項１０に記載の方向弁座弁（１）。
【請求項１２】
前記伝達部材（１１）はコアであることを特徴とする、請求項１１に記載の方向弁座弁（１）。
【請求項１３】
前記第１方向弁座弁ユニット（３）は、第１の座（６）と第２の座（７）とを有し、前記第１閉鎖部材（５）は、第１切換位置の第１の座（６）上に載り、前記第１閉鎖部材（５）は、第２切換位置の第２の座（７）上に載ることを特徴とする、請求項１〜１２のいずれかに記載の方向弁座弁（１）。
【請求項１４】
前記第２方向弁座弁ユニット（４）は、第３の座（９）と第４の座（１０）とを有し、前記第２閉鎖部材（８）は、第４切換位置の第４の座（１０）上に載り、前記第２閉鎖部材（８）は、第３切換位置の第３の座（９）上に載ることを特徴とする、請求項１〜１３のいずれかに記載の方向弁座弁（１）。
【請求項１５】
前記第１方向弁座弁ユニット（３）は、３／２方向弁座弁ユニットであり、及び／又は
前記第２方向弁座弁ユニット（４）は、３／２方向弁座弁ユニットであることを特徴とする、請求項１〜１４のいずれかに記載の方向弁座弁（１）。
【請求項１６】
前記第１方向弁座弁ユニット（３）は弁座弁カートリッジであり、及び／又は前記第２方向弁座弁ユニット（４）は弁座弁カートリッジであることを特徴とする、請求項の１〜１５のいずれかに記載の方向弁座弁（１）。
【発明の詳細な説明】
【技術分野】
【０００１】
本発明は、ハウジングと、ハウジング内に配置された第１方向弁座弁ユニットと、ハウジング内に配置された第２方向弁座弁ユニットとを有する方向弁座弁に関する。
【背景技術】
【０００２】
このような弁は、最先端技術から公知である。例えば、DE 20 2004 002 268 U1は、そのような方向弁座弁を示しており、第１方向弁座弁ユニットは、少なくとも第１及び第２切換位置と、少なくとも１つの座との間で移動可能な第１閉鎖部材を有する。第２方向弁座弁ユニットは、少なくとも第３及び第４切換位置と、少なくとも１つの座との間で移動可能な第２閉鎖部材を有する。閉鎖部材は、共通の磁石、及び閉鎖部材の間に配置された伝達部材を介して、同期して動かされるボールとして提供される。
【０００３】
第１閉鎖部材が、第２切換位置から第１切換位置に移動すると、第２閉鎖部材は、第３切換位置から第４切換位置に移動する。第２閉鎖部材が、第４切換位置から第３切換位置に移動すると、第１閉鎖部材は、第１切換位置から第２切換位置に移動する。
【０００４】
この公知の解決法の欠点は、第１閉鎖要素及び第２閉鎖要素の切換位置を維持するために、磁石が永久的に励磁されなければならないことである。停電の場合、閉鎖要素は常に、切換位置、すなわち、磁石が励磁されない切換位置に移動しなければならない。さらに、伝達部材及び閉鎖部材の製造における避けられない公差のために、伝達部材が同期して移動するときに、閉鎖部材が座にしっかりと接触することを保証することができない。
【０００５】
従って、本発明の目的は、切換位置を安全かつしっかりと維持する方向弁座弁を示すことである。
【０００６】
この問題は、請求項１の主題によって解決される。有利なさらなる実施形態が、従属請求項に記載される。
【発明の概要】
【０００７】
従来技術と比較して、本発明による方向弁座弁は、方向弁座弁が、少なくとも第１閉鎖部材に割当てられた第１係止装置(latching device)と、第２閉鎖部材に割当てられた第２係止装置とを有することを特徴とする。本発明によれば、第１閉鎖部材は、第１係止装置によって、第１切換位置及び第２切換位置に固定されることが可能で、第２閉鎖部材は、第２係止装置によって、第３切換位置及び第４切換位置に固定されることが可能である。
【０００８】
さらに、第１係止装置は、第１切換位置で係止するときに、第１閉鎖部材が第１切換位置の方向に軸方向に移動し、第２切換位置で係止するときに、第２切換位置の方向に軸方向に移動するように構成される。第２係止装置は、第３切換位置で係止するときに、第３切換位置の方向に軸方向に移動し、第４切換位置で係止するときに、第４切換位置の方向に軸方向に移動するように構成される。本発明によれば、伝達部材は、第１閉鎖要素と第２閉鎖要素との間に、クリアランスを有する。伝達部材が機械的伝達部材である場合に、それは有利である。
【０００９】
伝達部材と第１及び第２閉鎖部材との間の本発明のクリアランスは、例えば、第１閉鎖部材がすでに座に接触していることを防止し、従って、第２閉鎖部材がまだ座にしっかりと接触していないにもかかわらず、閉鎖部材がさらに移動することは不可能である。クリアランスがあるため、一方の閉鎖部材が対応する座に載っていても、他方の閉鎖部材がその座に載ることを妨げないことが常に保証される。
【００１０】
上述の構成のために十分ではないかもしれないストロークが、対応する係止装置によって補償される。係止装置は、各々の切換位置の方向に軸方向の力を加え、従って、対応する閉鎖要素を、所望の切換位置に移動させる。言い換えれば、本発明によれば、一方の閉鎖部材が、他方の閉鎖部材のさらなる移動を防止するのに、結果として生じるストローク差は十分であるようにクリアランスは選択される。なぜなら、それはすでに座の上に載っているからである。しかし、同時に、おそらく不十分なストロークは、対応する閉鎖要素を、所望の切換位置に安全に移動させる対応する係止装置によって補償される。
【００１１】
さらに、係止装置はまた、閉鎖要素を各切換位置に維持するので、停電等であっても切換位置に影響を及ぼさない。
【００１２】
好ましくは、第１閉鎖要素は、第１ピストンである。好ましくは、第２閉鎖要素は、第２ピストンである。ピストンは、良好な案内が達成され、閉鎖要素のより複雑な幾何学的形状も可能であるという利点を有する。
【００１３】
第１係止装置は好ましくは、少なくとも第１係止要素と、第１閉鎖部材上に配置された第１係止溝(latching groove)とを備え、第１係止溝は、第１カム面を有する。第１係止要素が、第１カム面に沿って移動することが好ましいのは、第１閉鎖要素が、第２切換位置から第１切換位置に移動し、それによって第１係止要素が、第１切換位置の方向に、第１閉鎖要素に軸方向の力を加えるときである。第１係止要素が移動し、第１係止要素が第１カム面に接触するとすぐに、第１係止要素は、それが第１係止溝に完全に係合するまで径方向に移動し、同時に、第１閉鎖要素の、第１切換位置の方向への軸方向の移動を引き起こす。このようにして生成される第１閉鎖要素の軸方向の移動は、クリアランスによって生成されるストローク差を補償するのに十分である。
【００１４】
第１係止装置は便宜上、少なくとも第２係止要素と、第１閉鎖部材上に配置された第２係止溝とを備え、第２係止溝は、第２カム面を有する。好ましくは、第２係止要素が、第２カム面に沿って移動するのは、第１閉鎖要素が、第１切換位置から第２切換位置に移動するときであり、それによって、第２係止要素は、第２切換位置の方向に、第１閉鎖要素に軸方向の力を加える。第１閉鎖要素の移動中に、第２係止要素が第２カム面に接触するとすぐに、第２係止要素は、それが第２係止溝に完全に係合するまで径方向に移動し、同時に、第２切換位置の方向に、第１の閉鎖要素の軸方向の移動を引き起こす。このようにして生成された第１閉鎖要素の軸方向の移動は、クリアランスによって生成されるストローク差を補償するのに十分である。
【００１５】
第２係止装置は好ましくは、少なくとも第２閉鎖部材上に配置された第３係止要素及び第３係止溝を備え、第３係止溝は、第３カム面を有する。好ましくは、第３係止要素が、第３カム面に沿って移動するときに、第２閉鎖要素は、第４切換位置から第３切換位置に移動し、それによって第３係止要素は、第３切換位置の方向に、第２閉鎖要素に軸方向の力を加える。第２閉鎖要素が移動し、第３係止要素が第３カム面に接触するとすぐに、第３係止要素は、それが第３係止溝に完全に係合するまで径方向に移動し、同時に、第３切換位置の方向に、第２閉鎖要素の軸方向の移動を引き起こす。このようにして生成された第２閉鎖要素の軸方向の移動は、クリアランスによって生成されるストローク差を補償するのに十分である。
【００１６】
第２係止装置は好ましくは、少なくとも第２閉鎖部材上に配置された第４係止要素と第４係止溝とを備え、第４係止溝は、第４カム面を有する。好ましくは、第４係止要素が第４カム面に沿って移動するとき、第２閉鎖要素は第３切換位置から第４切換位置に移動し、それによって第４係止要素は、第４切換位置の方向に、第２閉鎖要素に軸方向の力を加える。第２閉鎖要素が移動し、第４係止要素が第４カム面に接触するとすぐに、第４係止要素は、それが第４係止溝に完全に係合するまで径方向に移動し、同時に、第４切換位置の方向に第２閉鎖要素の軸方向の移動を引き起こす。このようにして生成された第２の閉鎖要素の軸方向の移動は、クリアランスによって生成されるストローク差を補償するのに十分である。
【００１７】
特に、各々の方向弁座弁ユニット、又は方向弁座弁のハウジングの対応するボア内に配置される係止要素として、ばね荷重ボールを設けることが可能である。
【００１８】
好ましくは、第１閉鎖要素及び第２閉鎖要素は、ハウジングのバルブボア内で、軸方向に互いに隣接して配置される。これにより、方向弁座弁を特にコンパクトに設計することができる。
【００１９】
好ましくは、伝達部材はタペットである。タペットはバルブボア内に配置され、クリアランスは軸方向のクリアランスである。径方向のクリアランスが、タペットとハウジングとの間に設けられる。
【００２０】
この点に関し、タペットが軸方向の貫通孔を有する場合が好ましい。貫通孔は、第１方向弁座弁ユニットと第２方向弁座弁ユニットとの間の圧力補償を可能にする。
【００２１】
好ましくは、方向弁座弁は、第１閉鎖要素及び第２閉鎖要素の位置を決定する誘導位置センサを有する。この点に関し、誘導位置センサはコアを有し、それにより、コアは、第１閉鎖要素及び第２閉鎖要素と同期して移動することが考えられる。従って、閉鎖要素の切換位置を、単一の位置センサを使用して、確実かつ容易に決定することが可能である。
【００２２】
ここで、伝達部材がコアである場合に、それは特に有利である。従って、コアとしてさらなる構成要素は必要とされないが、提供される伝達部材を、いずれにしても、この目的のために直接使用することが可能である。これにより、方向弁座弁をより安価で製造できる。
【００２３】
好ましくは、第１方向弁座弁ユニットは、第１の座及び第２の座を有する。第１閉鎖部材は、第１切換位置で第１の座の上に載り、第１閉鎖部材は、第２切換位置で第２の座の上に載る。好ましくは、第２方向弁座弁ユニットは、第３の座及び第４の座を有する。第２閉鎖部材は、第１切換位置で第４の座の上に載り、第２閉鎖部材は、第２切換位置で第３の座の上に載る。第１方向弁座弁ユニットが３／２方向弁座弁ユニットである場合、及び／又は第２方向弁座弁ユニットが３／２方向弁座弁ユニットである場合、それは特に好ましい。従って、方向弁座弁は、４／２方向弁座弁として設計され得る。
【００２４】
第１方向弁座弁ユニットは、方向弁座弁カートリッジであることが好ましい。第２方向弁座弁ユニットもまた、方向弁座弁カートリッジであることが好ましい。
【００２５】
以下に、本発明を図面に示された実施形態を参照してより詳細に説明する。図に、概略的に示されている。
【図面の簡単な説明】
【００２６】
【図１】本発明による方向弁座弁のシンボルである。
【図２】本発明による方向弁座弁の断面図である。
【図３】アクチュエータの無い、図２に示す方向弁座弁を示す図である。
【図４】図２の拡大詳細図である。
【図５】図２に示す方向弁座弁の方向弁座弁ユニットの断面図である。
【発明を実施するための形態】
【００２７】
図１は、本発明による方向弁座弁１のシンボルを示す。方向弁座弁１は、４／２方向弁座弁であり、ポンプ接続部Ｐとタンク接続部Ｔとを、液圧接続部(hydraulic consumer connection)Ａ又は液圧接続部Ｂとに交互に接続する。方向弁座弁１を切換えるために、これは、駆動装置として２つの従来のソレノイドＭを有するが、ここでは詳細には説明しない。もちろん、手動駆動装置のような他の駆動装置を使用することも可能である。さらに、方向弁座弁１は、以下により詳細に説明するように、各々の切換位置を保持するために、係止装置１２，１３を備える。
【００２８】
図２は、本発明による方向弁座弁１の断面図を示す。図３は、２つの横方向に配置された駆動装置Ｍを有しない、方向弁座弁１の拡大詳細図である。方向弁座弁１は、ハウジング２を軸方向に通るバルブボア２６を有するハウジング２を有する。第１方向弁座弁ユニット３及び第２方向弁座弁ユニット４は、バルブボア２６内に挿入され、バルブボア２６内に、軸方向に並んで置かれる。方向弁座弁ユニット３，４は、各々３／２方向弁座弁であり、各々が弁座弁カートリッジとして構成される。さらに、２つの方向弁座弁ユニット３，４は、同一に構成される。
【００２９】
図５に示すように、第１方向弁座弁ユニット３は、ピストンの形の第１閉鎖要素５を有する。第１ピストン５は、第１切換位置と第２切換位置との間で、第１弁座弁ハウジング３３内で軸方向に移動可能である。この目的のために、第１座６及び第２座７が、第１弁座弁ハウジング３３に設けられる。第１ピストン５は、第１円錐座要素２９と第２円錐座要素３０とを有する。第１方向弁座弁ユニット３の第１切換位置で、第１円錐座要素２９は第１の座６に載り、第２円錐座要素３０は第２の座７から持上げられる。従って、第１円錐座要素２９は、第１方向弁座弁ユニット３の第２切換位置で、第１の座６から持上げられ、第２円錐座要素３０は、第２の座７に載る。
【００３０】
さらに、第１方向弁座弁ユニット３は、第１切換位置及び第２の切換位置において、第１ピストン５を、第１弁座弁ハウジング３３に対して固定する第１係止装置１２を有する。この目的のために、第１係止要素１４及び第２係止要素１７が設けられており、各々は、第１弁座弁ハウジング３３内に案内されるばね荷重ボールから成る。第１ピストン５は、第１カム面１６を有する第１係止溝１５と、第２カム面１９を有する第２係止溝１８とを有する。
【００３１】
第１方向弁座弁ユニット３が第１切換位置にある場合、第１係止要素１４は第１係止溝１５に係合する。第１ピストン５が、第１切換位置から第２切換位置に切換えられると、第１ピストン５は軸方向に移動し、第１係止要素１４は第１係止溝１５から外れる。同時に、第２係止要素１７は、第２カム面１９に接触し、第２カム面１９に沿って移動する。第２係止要素１７は、第２切換位置の方向に、第１ピストン５に軸方向の力を加える。第１ピストン５が第２切換位置にあるとすぐに、第２係止要素１７は第２係止溝１８に係合する。従って、第２切換位置から第１切換位置に切換わる際に、第１係止要素１４及び第１カム面１６を介して、第１切換位置の方向に、軸方向の移動の力が第１ピストン５に加えられる。
【００３２】
第２方向弁座弁ユニット４は同一の設計であり、第２ピストンの形の第２閉鎖要素８を有する。第２ピストン８は、第２弁座弁ハウジング３４内で、第３切換位置と第４切換位置との間で、軸方向に移動可能である。この目的のために、第３の座９及び第４の座１０が、第２弁座弁ハウジング３４に設けられている。第２ピストン８は、第３円錐座要素３１と第４円錐座要素３２とを有する。第２方向弁座弁ユニット４の第３切換位置で、第３円錐座要素３１は第３の座９の上に載り、第４円錐座要素３２は第４の座１０から持上げられる。従って、第３円錐座要素３１は、第２方向弁座弁ユニット４の第４切換位置において、第３の座９から持上げられ、第４円錐座要素３２は、第４の座１０の上に載る。
【００３３】
さらに、第２方向弁座弁ユニット４は、第３切換位置及び第４切換位置において、第２ピストン８を、第２弁座弁ハウジング３４に対して固定する第２係止装置１３を有する。この目的のために、第３係止要素２０及び第４係止要素２３が設けられており、各々は、第２弁座弁ハウジング３４内に案内されるばね荷重ボールから成る。第２ピストン８は、第３カム面２２を有する第３ノッチ２１と、第４カム面２５を有する第４ノッチ２４とを有する。
【００３４】
第２方向弁座弁ユニット４が第３切換位置にある場合、第３係止素子２０は第３係止溝２１に係合する。第２ピストン８が、第３切換位置から第４切換位置に切換わると、第２ピストン８は軸方向に移動し、第３係止要素２０は、第３係止溝２１から外れる。同時に、第４係止要素２３は、第４カム面２５に接触し、第４カム面２５に沿って移動する。第４係止要素２３は、第２切換位置の方向に、第２ピストン８に軸方向の力を加える。第２ピストン８が第４切換位置にあるとすぐに、第４係止要素２３は、第４係止溝２４に係合する。従って、第４切換位置から第３切換位置に切換わる際に、第３係止要素２０及び第３カム面２２を介して、第３切換位置の方向に、第２のピストン８に軸方向の移動力が加えられる。
【００３５】
方向弁座弁１の発明は、４／２方向弁座弁であるため、第１ピストン５と第２ピストン８とを同期させて移動させる必要がある。言い換えれば、第１ピストン５が、第１切換位置から第２切換位置に移動する場合、第２ピストン８は、第４切換位置から第３切換位置に同期して移動しなければならない。従って、第１ピストン５が、第２切換位置から第１切換位置に移動しなければならないとき、第２ピストン８は、第３切換位置から第４切換位置に移動する。第１ピストン５と第２ピストン８との軸方向の間のバルブボア内に、タペットの形の伝達部材１１が設けられている。例えば、第１ピストン５が第１切換位置から第２切換位置に移動すると、第１ピストン５の端部がタペットに接触し、これにより、第１ピストン５の移動が第２ピストン８に伝達される。必要な圧力補償を確実にするために、タペット１１は、軸方向貫通孔２７を有する。
【００３６】
図４に示す拡大抜粋図から分かるように、タペット１１は、第１ピストン５と第２ピストン８との間に、軸方向のクリアランスＳａを有している。このクリアランスＳａの結果、例えば、第１ピストン５又は第２円錐座要素３０は、第１方向弁座弁ユニット３を、第１切換位置から第２切換位置に切換る際に、第２ピストン８が、第４切換位置から第３切換位置に完全に移動していないにもかかわらず、第２の座７の上に確実に載る。
【００３７】
この場合、この不十分なストロークは、第３係止要素２０が第３カム面２２に沿って移動し、軸方向の力が第３切換位置の方向に、第２ピストン８に加えられるという点で、第２係止装置１３によって補償される。ここでの唯一の要件は、ストロークが、第１ピストン５又は第２ピストン８を、各々の切換位置に移動させるために、対応する係止要素１４，１７，２０，２３が、対応するカム面１６，１９，２２，２５と接触するのに十分であることである。
【００３８】
バルブボア２６内でのタペット１１の安全な移動を達成するために、方向弁座弁１のタペット１１とハウジング２との間にも、径方向のクリアランスＳｒが設けられている。
【００３９】
さらに、方向弁座弁１は、特に図２に示されるように、誘導位置センサ２８を有する。この実施形態では、この誘導変位測定に必要な誘導位置センサ２８のコアは、タペット１１によって形成される。従って、タペット１１は、適切な強磁性材料で作られる。タペット１１の位置により、方向弁座弁１又は方向弁座弁ユニット３，４の切換え位置を、容易に監視することが可能となる。誘導位置センサ２８は、例えば、（線形可変）差動変圧器回路の公知の原理に従って、又は差動ブリッジ回路の原理に従って動作可能である。
【符号の説明】
【００４０】
１  方向弁座弁、２  ハウジング、３  第１方向弁座弁ユニット、４  第２方向弁座弁ユニット、５  第１閉鎖部材／第１ピストン、６  第１の座、７  第２の座、８  第２閉鎖部材／第２ピストン、９  第３の座、１０  第４の座、１１  伝達部材／タペット、１２  第１係止装置、１３  第２係止装置、１４  第１係止要素、１５  第１係止溝、１６  第１カム面、１７  第２係止要素、１８  第２係止溝、１９  第２カム面、２０  第３係止要素、２１  第３係止溝、２２  第３カム面、２３  第４係止要素、２４  第４係止溝、２５  第４カム面、２６  バルブボア、２７  貫通穴、２８  誘導位置センサ、２９  第１円錐座要素、３０  第２円錐座要素、３１  第３円錐座要素、３２  第４円錐座要素、３３  第１弁座弁ハウジング、３４  第２弁座弁ハウジング、Ａ，Ｂ  液圧接続部、Ｍ  磁気駆動装置／ソレノイド、Ｐ  ポンプ接続部、Ｓａ  軸方向のクリアランス、Ｓｒ  径方向のクリアランス、Ｔ  タンク接続部。
【図１】
2020133900.tif 000003
【図２】
2020133900.tif 000004
【図３】
2020133900.tif 000005
【図４】
2020133900.tif 000006
【図５】
2020133900.tif 000007